(57)【特許請求の範囲】
【請求項１】
ディスプレイを有する無線受電デバイスに無線電力を送信するための無線送電デバイスであって、
無線電力信号を前記無線受電デバイスに送信するように構成された無線送電回路と、
ユーザ入力を検出するように構成されたセンサと、
前記ユーザ入力を検出したことに応じて、前記無線受電デバイスと無線通信して、前記無線受電デバイスに充電状態情報を前記ディスプレイ上に表示させるように構成された制御回路と、
を備える、無線送電デバイス。
【請求項２】
前記センサが、加速度計を含む、請求項１に記載の無線送電デバイス。
【請求項３】
充電面を有する筐体を更に備え、前記ユーザ入力が、前記充電面上のタップを含む、請求項２に記載の無線送電デバイス。
【請求項４】
前記ディスプレイが、前記充電状態情報を表示する前に、ブランク画面を提供しており、前記制御回路が、前記ユーザ入力を検出したことに応じて、前記無線受電デバイスと通信して、前記無線受電デバイスに前記ブランク画面の代わりに前記充電状態情報を表示させるように構成されている、請求項３に記載の無線送電デバイス。
【請求項５】
前記充電状態情報が、前記無線受電デバイス内のバッテリのバッテリ充電状態情報を含む、請求項４に記載の無線送電デバイス。
【請求項６】
前記充電状態情報が、前記無線受電デバイス内のバッテリ以外のバッテリのバッテリ充電状態情報を含む、請求項４に記載の無線送電デバイス。
【請求項７】
前記充電状態情報が、無線電力が前記無線送電回路から前記無線受電デバイスに送信されているか否かに関する情報を含む、請求項４に記載の無線送電デバイス。
【請求項８】
前記制御回路が、前記ユーザ入力を検出したことに応じて、帯域内無線通信を使用して前記無線受電デバイスと通信するように構成されている、請求項１に記載の無線送電デバイス。
【請求項９】
前記制御回路が、前記ユーザ入力を検出したことに応じて、帯域外無線通信を使用して前記無線受電デバイスと通信するように構成されている、請求項１に記載の無線送電デバイス。
【請求項１０】
前記センサが、移動を検出するように構成されており、前記表示された充電状態情報が、前記ディスプレイの少なくとも１０％をカバーする、請求項１に記載の無線送電デバイス。
【請求項１１】
充電面を有する筐体と、
前記充電面上の無線受電デバイスに無線電力信号を送信するように構成された無線送電回路と、
トリガイベントを検出し、前記トリガイベントの検出に応じて、前記無線受電デバイスと無線通信して、前記無線受電デバイスに、前記無線電力信号を使用して前記無線受電デバイス内のバッテリの充電に関連付けられた充電状態情報を表示させるように構成された制御回路と、
を備える、無線送電デバイス。
【請求項１２】
センサを更に備え、前記制御回路が、前記センサを使用して前記トリガイベントを検出するように構成されている、請求項１１に記載の無線送電デバイス。
【請求項１３】
前記トリガイベントが、ユーザ音声コマンドを含み、前記センサが、前記ユーザ音声コマンドを受信するように構成されたマイクロフォンを含む、請求項１２に記載の無線送電デバイス。
【請求項１４】
前記センサが、加速度計を含む、請求項１２に記載の無線送電デバイス。
【請求項１５】
前記センサが、光学センサ、力センサ、及びタッチセンサからなる群から選択されるセンサを含む、請求項１２に記載の無線送電デバイス。
【請求項１６】
前記充電状態情報が、バッテリ充電状態情報を含む、請求項１１に記載の無線送電デバイス。
【請求項１７】
無線送電デバイスの充電面上に置かれている間に前記無線送電デバイスから無線電力を受信するように構成された無線受電デバイスであって、
前記無線電力を受信するように構成された無線受電回路と、
充電状態を有するバッテリと、
ディスプレイと、
前記無線受電回路、前記バッテリ、及び前記ディスプレイに動作可能に結合され、
かつトリガイベントの検出に応じて、前記ディスプレイ上に前記充電状態に関する情報を表示するように構成され、前記トリガイベントが、前記充電面からの前記無線受電デバイスの除去及びユーザ入力からなる群から選択されるトリガイベントを含む、
制御回路と、を備える、
無線受電デバイス。
【請求項１８】
前記ユーザ入力が、前記充電面上の指タップを含み、前記無線受電デバイスが、前記充電面上の前記指タップから生じる動きを検出するように構成されたセンサを備える、請求項１７に記載の無線受電デバイス。
【請求項１９】
前記センサが、加速度計を含み、前記制御回路が、
前記センサによる前記充電面上の前記指タップの検出に応じて、無線電力が前記無線受電回路によって受信されているか否かに関する情報を表示するように構成されている、
請求項１８に記載の無線受電デバイス。
【請求項２０】
前記制御回路が、前記充電面上に置かれているポータブル電子デバイスのバッテリ充電状態情報を受信するための無線通信回路を含み、前記制御回路が、
前記センサによる前記充電面上の前記指タップの検出に応じて、前記ディスプレイ上に前記バッテリの前記充電状態及び前記ポータブル電子デバイスの前記バッテリ充電状態情報の両方を表示するように構成されている、
請求項１８に記載の無線受電デバイス。
【発明の詳細な説明】
【技術分野】
【０００１】
本出願は、２０１９年１１月５日に出願された米国特許出願第１６／６７５，０８２号、２０１９年９月５日に出願された米国特許出願第１６／５６２，２７８号、及び２０１９年８月８日に出願された米国仮特許出願第６２／８８４，３９１号の優先権を主張するものであり、これらは参照によりその全体が本明細書に組み込まれる。
【０００２】
本出願は、概して、電力システムに関し、より具体的には、電子デバイスを充電するための無線電力システムに関する。
【背景技術】
【０００３】
無線充電システムでは、充電マットなどの無線送電デバイスは、ポータブル電子デバイスなどの無線受電デバイスに無線で電力を送信する。ポータブル電子デバイスは、コイルと整流回路とを有する。ポータブル電子デバイスのコイルは、無線充電マットから交流無線電力信号を受信する。整流回路は、受信した信号を直流電力に変換する。無線充電マットは、同時に複数の無線受電デバイスを同時に充電する能力を有することができる。
【発明の概要】
【０００４】
無線電力システムは、無線送電デバイスと無線受電デバイスとを有する。無線送電デバイスは、充電面を有する無線充電マット又は他のデバイスであってもよい。無線受電デバイスは、充電面上に置かれている間に、無線送電デバイスから送信された無線電力信号を受信するポータブル電子デバイスであってもよい。
【０００５】
無線受電デバイスは、ディスプレイを有してもよい。無線送電デバイス内又はシステム内の他の場所（無線受電デバイスを含む）のセンサは、ユーザ入力を検出することができる。ユーザ入力に応じて、無線受電デバイスは、無線受電デバイスのディスプレイ上に無線受電デバイス内のバッテリの充電状態に関する情報及び他の充電状態情報を表示してもよい。
【０００６】
ユーザ入力は、無線送電デバイス又は無線送電デバイス上で充電している任意の無線受電デバイス内の加速度計などのセンサを使用して収集される、充電面上の指タップであってもよい。他のセンサを使用して収集されたユーザ入力又は充電面からの無線受電デバイスの除去などの他のアクションもまた、充電状態情報の表示を引き起こすためのトリガイベントとして機能することができる。
【図面の簡単な説明】
【０００７】
【図１】一実施形態に係る、例示的な無線電力システムの概略図である。
【図２】一実施形態に係る、例示的な無線電力システムの側断面図である。
【図３】一実施形態に係る、無線電力システム内の電子デバイスの例示的なディスプレイの図である。
【図４】一実施形態に係る、無線電力システムを動作させることに伴う例示的な動作のフローチャートである。
【発明を実施するための形態】
【０００８】
無線電力システムは、無線充電マットなどの無線送電デバイスを含む。無線送電デバイスは、１つ以上の無線受電デバイスに電力を無線で送信する。無線受電デバイスは、腕時計、携帯電話、タブレットコンピュータ、ラップトップコンピュータ、又は他の電子機器などのデバイスを含むことができる。各無線受電デバイスは、デバイスに電力を供給するため、及び内部バッテリを充電するために、無線送電デバイスからの電力を使用する。
【０００９】
無線電力は、１つ以上の無線送電コイルを使用して、無線送電デバイスから無線受電デバイスに送信される。無線受電デバイスは、受信した無線電力信号を直流電力に変換する整流回路に結合された１つ以上の無線受電コイルを有する。
【００１０】
例示的な無線電力システム（無線充電システム）を、図１に示す。図１に示すように、無線電力システム８は、無線送電デバイス１２などの無線送電デバイスを含み、かつ、無線受電デバイス２４などの無線受電デバイスを含む。無線送電デバイス１２は、制御回路１６を含む。無線受電デバイス２４は、制御回路３０を含む。制御回路１６及び制御回路３０などのシステム８内の制御回路は、システム８の動作を制御する際に使用される。この制御回路は、マイクロプロセッサ、電力管理ユニット、ベースバンドプロセッサ、デジタル信号プロセッサ、マイクロコントローラ、及び／又は処理回路を有する特定用途向け集積回路に関連付けられた処理回路を含み得る。処理回路は、デバイス１２及び２４内に所望の制御及び通信機能を実装する。例えば、処理回路は、コイルの選択、送電レベルの判定、異物を検出し他のタスクを実行するためのセンサデータ及び他のデータの処理、ユーザ入力の処理、デバイス１２と２４との間の交渉への対処、帯域内データ及び帯域外データの送信並びに受信、測定の実行、並びに他の方法でシステム８の動作を制御する際に使用され得る。
【００１１】
システム８内の制御回路は、ハードウェア（例えば、専用のハードウェア又は回路）、ファームウェア及び／又はソフトウェアを使用して、システム８内で動作を実行するように構成されてもよい。システム８内で動作を実行するためのソフトウェアコードは、制御回路８内の非一時的コンピュータ可読記憶媒体（例えば、有形のコンピュータ可読記憶媒体）上に記憶される。ソフトウェアコードは、時に、ソフトウェア、データ、プログラム命令、命令、又はコードと呼ばれることがある。非一時的コンピュータ可読記憶媒体は、不揮発性ランダムアクセスメモリ（ＮＶＲＡＭ）などの不揮発性メモリ、１つ以上のハードドライブ（例えば、磁気ドライブ若しくはソリッドステートドライブ）、１つ以上のリムーバブルフラッシュドライブ、又は他のリムーバブル媒体、などを含むことができる。非一時的コンピュータ可読記憶媒体に記憶されたソフトウェアは、制御回路１６及び／又は３０の処理回路上で実行することができる。処理回路は、処理回路を有する特定用途向け集積回路、１つ以上のマイクロプロセッサ、中央処理装置（ＣＰＵ）、又は他の処理回路を含むことができる。
【００１２】
送電デバイス１２は、スタンドアロン型電力アダプタ（例えば、電力アダプタ回路を含む無線充電マット又は充電パック）であってもよく、ケーブルによって電力アダプタ若しくは他の機器に結合されている無線充電マット若しくはパックであってもよく、ポータブルデバイスであってもよく、家具、車両、若しくは他のシステムに組み込まれている機器であってもよく、リムーバブルバッテリケースであってもよく、又は他の無線送電機器であってもよい。無線送電デバイス１２が無線充電マットである例示的な構成は、時に、一例として本明細書で説明される。
【００１３】
受電デバイス２４は、腕時計、携帯電話、ラップトップコンピュータ、タブレットコンピュータなどのポータブル電子デバイス、イヤホンなどのアクセサリ、携帯電話用のリムーバブルバッテリケース、一対のイヤホン用のリムーバブルバッテリケース、若しくは他の外部バッテリパック、又は他の電子機器であってもよい。送電デバイス１２は、壁コンセント（例えば、交流電源）に結合されてもよく、電力を供給するためのバッテリを有してもよく、及び／又は別の電源を有してもよい。送電デバイス１２は、壁コンセント又は他の電源からのＡＣ電力をＤＣ電力に変換するためのＡＣ−ＤＣ電力コンバータ１４などの、交流（ＡＣ）−直流（ＤＣ）電力コンバータを有してもよい。ＤＣ電力を使用して、制御回路１６に電力を供給することができる。動作中、制御回路１６内のコントローラは、送電回路５２を使用して、デバイス２４の受電回路５４に無線電力を送信する。送電回路５２は、制御回路１６によって提供される制御信号に基づいてオン及びオフに切り替えられて無線送電コイル３６などの１つ以上の無線送電コイルを介してＡＣ電流信号を生成する、スイッチング回路（例えば、トランジスタから形成されたインバータ回路６１）を有してもよい。これらのコイル駆動信号は、コイル（単数又は複数）３６に無線電力を送信させる。コイル３６は、（例えば、デバイス１２が無線充電マットである構成では）平面コイルアレイで配置されてもよく、又は（例えば、デバイス１２が無線充電パックである構成では）コイルのクラスタを形成するように配置されてもよい。いくつかの構成では、デバイス１２（例えば、充電マット、パックなど）は、単一のコイルのみを有してもよい。他の構成では、無線充電デバイスは、複数のコイル（例えば、２つ以上のコイル、５〜１０個のコイル、少なくとも１０個のコイル、１０〜３０個のコイル、３５個未満のコイル、２５個未満のコイル、又は他の好適な数のコイル）を有してもよい。
【００１４】
ＡＣ電流が１個以上のコイル３６を通過すると、受電デバイス２４内のコイル（単数又は複数）４８などの１個以上の対応する受信コイルによって受信される交流電磁場（例えば、磁場）（無線電力信号４４）が生成される。デバイス２４は、単一のコイル４８、少なくとも２個のコイル４８、少なくとも３個のコイル４８、少なくとも４個のコイル４８、又は他の好適な数のコイル４８を有してもよい。交流電磁場がコイル（単数又は複数）４８によって受信されると、対応する交流電流がコイル（単数又は複数）４８内に誘導される。ブリッジネットワーク内に配置された同期整流金属酸化物半導体トランジスタなどの整流構成要素を含む、整流回路５０などの整流回路は、受信したＡＣ信号（電磁信号４４に関連付けられた受信した交流信号）を、１個以上のコイル４８から電力供給デバイス２４用のＤＣ電圧信号に変換する。
【００１５】
整流回路５０によって生成されたＤＣ電圧（整流器出力電圧Ｖｒｅｃｔと呼ばれることがある）は、バッテリ５８などのバッテリを充電する際に使用することができ、デバイス２４内の他の構成要素に電力を供給する際に使用することができる。例えば、デバイス２４は、入出力デバイス５６を含むことができる。入出力デバイス５６は、ユーザ入力を収集する及び／又は環境測定を行うための入力デバイスを含むことができ、ユーザに出力を提供するための出力デバイスを含んでもよい。一例として、入出力デバイス５６は、視覚出力を生成するためのディスプレイ、オーディオ信号として出力を提示するためのスピーカ、状態情報及び／若しくは他の情報をユーザに提供する光を発するための発光ダイオード状態インジケータライト並びに他の発光構成要素（例えば、充電状態を示すための１つ以上の充電状態インジケータ発光ダイオード）、振動及び他の触覚出力を生成するための触覚デバイス、並びに／又は他の出力デバイスを含むことができる。入出力デバイス５６はまた、ユーザからの入力を収集するため及び／又はシステム８の周囲の測定を行うためのセンサを含んでもよい。入出力デバイス５６に含まれ得る例示的なセンサとしては、三次元センサ（例えば、光ビームを放射し、二次元デジタル画像センサを使用して、標的が光ビームによって照射されると生成される光スポットから三次元画像のための画像データを収集する、構造化光センサなどの三次元画像センサ、双眼撮像構成で２つ以上のカメラを使用して三次元画像を収集する双眼三次元画像センサ、三次元ライダー（光検出及び測距）センサ、三次元高周波センサ、又は三次元画像データを収集する他のセンサ）、カメラ（例えば、対応する赤外線及び／若しくは可視デジタル画像センサを有する赤外線及び／若しくは可視カメラ、並びに／又は紫外光カメラ）、視線追跡センサ（例えば、画像センサに基づく視線追跡システム、及び所望であれば、ユーザの眼から反射した後に画像センサを使用して追跡される１つ以上の光ビームを放射する光源）、タッチセンサ、ボタン、容量性近接センサ、赤外線近接センサなどの光ベースの（光学）近接センサ、他の近接センサ、力センサ、スイッチに基づく接触センサなどのセンサ、ガスセンサ、圧力センサ、湿度センサ、磁気センサ、オーディオセンサ（マイクロフォン）、周囲光センサ、スペクトル測定及び標的オブジェクトに関する他の測定を行う（例えば、光を放射し、反射光を測定することによって）ための光学センサ、音声コマンド及び他のオーディオ入力を収集するためのマイクロフォン、距離センサ、動き、位置、及び／若しくは向きに関する情報を収集するように構成された動き、位置、及び／若しくは向きセンサ（例えば、加速度計、ジャイロスコープ、コンパス、及び／又はこれらのセンサの全て若しくはこれらのセンサのうちの１つ若しくは２つのサブセットを含む慣性測定ユニット）、ボタン押圧入力を検出するボタンなどのセンサ、ジョイスティック移動を検出するセンサを有するジョイスティック、キーボード、並びに／又は他のセンサが挙げられる。デバイス１２は、１つ以上の入出力デバイス７０（例えば、入出力デバイス５６に関連して説明したタイプの入力デバイス及び／又は出力デバイス）を有することができる。
【００１６】
デバイス１２及び／又はデバイス２４は、帯域内通信又は帯域外通信を使用して無線で通信することができる。デバイス１２は、例えば、アンテナを使用して、デバイス２４に帯域外信号を無線で送信する無線送受信機回路４０を有してもよい。無線送受信機回路４０は、アンテナを使用して、デバイス２４から帯域外信号を無線で受信することができる。デバイス２４は、デバイス１２に帯域外信号を送信する無線送受信機回路４６を有してもよい。無線送受信機４６内の受信機回路は、アンテナを使用して、デバイス１２から帯域外信号を受信することができる。デバイス１２とデバイス２４との間で伝達される帯域外無線信号（及び、所望であれば、デバイス１２及び／若しくはデバイス２４並びに／又は他の機器の間で伝達される無線信号）は、パーソナルエリアネットワーク通信（例えば、Ｂｌｕｅｔｏｏｔｈ（登録商標）通信）、無線ローカルエリアネットワーク通信（例えば、ＩＥＥＥ８０２．１１  ＷｉＦｉ（登録商標）通信）、１３．５６ＭＨｚ若しくは他の好適な近距離通信周波数での近距離通信（near-field communications、ＮＦＣ）信号、他の近距離無線通信、及び／又は他の種類の無線通信に関連付けられた無線信号であってもよい。デバイス１２と２４との間の帯域内送信は、コイル３６及び４８を使用して実行することができる。１つの例示的な構成では、周波数シフトキーイング（ＦＳＫ）を使用して、デバイス１２からデバイス２４へ帯域内データを搬送し、振幅シフトキーイング（ＡＳＫ）を使用して、デバイス２４からデバイス１２へ帯域内データを搬送する。これらのＦＳＫ送信及びＡＳＫ送信中に、デバイス１２からデバイス２４に無線で電力を搬送してもよい。帯域内無線通信及び帯域外無線通信を使用して、送電制御コマンド、状態情報、デバイス２４がデバイス１２の充電面上に存在することをデバイス１２に示す情報、デバイス２４がデバイス１０の充電面上に存在することをデバイス２４に示す情報、デバイス１２がデバイス２４にデバイス２４によって受信されている電力を送信していることをデバイス１２及び／又はデバイス２４に示す情報、並びに他の情報を伝達することができる。
【００１７】
送電デバイス１２及び受電デバイス２４は、無線送電を制御するために、受信電力、バッテリ充電状態などの情報を通信することができることが望ましい。しかしながら、上述した技術は、機能するために個人特定可能な情報の送信を伴うことを必要としない。慎重を期して、この充電技術の任意の実装形態が個人特定可能な情報の使用を伴う限り、実装者は、ユーザのプライバシーを維持するための業界若しくは政府の要件を満たしている、又は上回ると一般に認識されているプライバシーポリシー及び慣行に従うべきであることが留意される。特に、個人特定可能な情報データは、意図的でない又は許可されていないアクセス、又は使用のリスクを最小限に抑えるように管理及び取り扱いされるべきであり、許可された使用の性質は、ユーザに明確に示されるべきである。
【００１８】
制御回路１６は、デバイス１２の筐体の充電面上の外部オブジェクトを検出するために（例えば、充電マットの上部の、又は必要に応じて、充電パックの結合面に隣接するオブジェクトを検出するために）使用され得る外部オブジェクト測定回路４１を有する。デバイス１２の筐体は、ポリマー壁、他の誘電体の壁、金属構造体、布地、並びに／又はコイル３６及びデバイス１２の他の回路を取り囲む他の筐体壁構造体を有してもよい。充電面は、デバイス１２の上側筐体壁のプレーナ外面であってもよい。回路４１は、コイル、ペーパークリップ、及び他の金属オブジェクトなどの異物を検出することができ、無線受電デバイス２４の存在を検出することができる（例えば、回路４１は、１個以上のコイル４８の存在を検出することができる）。オブジェクト検出及び特性評価の動作中、外部オブジェクト測定回路４１を使用して、コイル３６上及び／又はデバイス１２内の任意選択の異物検出コイル上で測定を行い、任意のデバイス２４がデバイス１２上に存在するか否かを判定することができる。
【００１９】
例示的な配置では、制御回路１６の測定回路４１は、信号発生器回路（例えば、１つ以上のプローブ周波数でＡＣプローブ信号を生成する発振器回路、インパルス応答を測定してインダクタンス情報、Ｑ係数情報などを収集できるようにインパルスを生成し得るパルス発生器）、及び信号検出回路（フィルター、アナログ−デジタルコンバータ、インパルス応答測定回路など）を含む。いくつかの構成では、Ｑ係数の測定及び他の測定は、無線送電動作中に行われてもよい。デバイス１２内のスイッチング回路を使用して、無線送電及び／又は異物検出動作中に所望のコイルを使用状態に切り替えることができる。
【００２０】
制御回路３０内の測定回路４３及び／又は制御回路１６内の測定回路４１は、電流測定及び電圧測定を行う際に使用することができる。この情報又は他の情報に基づいて、制御回路３０は、コイル４８による無線受電を向上させるのを助けるように整流回路５０を構成することができる。
【００２１】
図２は、システム８の側断面図である。図２の例示的な構成では、デバイス１２は、無線電力の送信に使用される１つ以上の無線送電コイル３６を有する。図２に示すように、デバイス１２及びデバイス２４はそれぞれ、ポリマー壁、他の誘電体の壁、金属構造体、布地、及び／又は内部回路を取り囲む他の筐体壁構造体から形成されたそれぞれの筐体を有する。デバイス２４の上面は、無線充電面７４を形成する。動作中、デバイス２４などの１つ以上の無線受電デバイスを、無線充電面７４（例えば、デバイス１２の筐体の最上面）上に配置して、無線電力を受信することができる。各デバイス２４は、１つ以上の無線受電コイル４８を有してもよい。デバイス２４の前面Ｆ又はデバイス２４の他の部分は、ディスプレイ７６などのディスプレイを有してもよい。ディスプレイ７６及び／又は他の入出力デバイス５６は、充電状態に関する情報（例えば、バッテリレベル情報、充電がアクティブ又は非アクティブであるか否かに関する情報、充電速度、満充電までの時間など）及び他の情報をユーザに提供するのに使用されてもよい。
【００２２】
長期間のユーザ非活動の間（例えば、デバイス２４がアクティブなユーザ対話の欠如下で充電面７４上に置かれているとき）、システム８内のディスプレイ（単数又は複数）は、オフにされてもよい（例えば、黒色の画面が表示されてもよい）。これは、視覚的な乱雑さを低減することを助けることができ、ディスプレイ寿命を向上させることができ、節電することを助けることができる。
【００２３】
充電が進行中で、かつディスプレイ７６がブランクになった後、ユーザは、システム８の状態を監視することを望む場合がある。例えば、ユーザは、１つ以上のデバイス２４内のバッテリが完全に充電されているか否か、無線電力が送電されているか否か（例えば、充電動作が現在行われているか否か）、及び／又はシステム８の動作に関する他の情報を知ることを望む場合がある。システム８のディスプレイ（単数又は複数）を目覚めさせ、充電状態情報を表示するようにシステム８に指示するために、トリガ入力をシステム８に提供することができる。
【００２４】
一例として、ユーザは、ユーザの指７２又は他の外部オブジェクトを用いて、表面７４又は任意の受電デバイス（例えば、デバイス２４）をタップすることができる。タッチ（タップ）入力を検出したことに応じて、システム８は、ディスプレイ９４などの１つ以上のディスプレイ上に充電状態情報及び他の情報を表示してもよい。例えば、システム８内の各デバイス２４は、そのバッテリ５８の状態を判定し、かつそのバッテリの充電状態に関する情報を表示し、かつ充電動作がアクティブであるか否かに関する情報を表示するように指示されてもよい。所望であれば、複数のデバイス２４の充電状態情報は、単一のディスプレイ上に表示されてもよい。例えば、腕時計及び一対のイヤホンの充電状態情報は、携帯電話のディスプレイ上に携帯電話の充電状態情報と共に表示されてもよい。いくつかの構成では、デバイス１２は、充電状態情報を表示するためのディスプレイを含むことができる。
【００２５】
１つ以上のディスプレイ上に充電状態情報を表示するようにシステム８に指示するために表面７４をタップすることに加えて、又はその代わりに、システム８内のセンサ（例えば、デバイス１２内及び／又はデバイス２４のうちの１つ以上内の１つ以上のセンサ）を使用して、他の入力を検出することができる。感知することができる入力の例としては、ダブルタップ、力入力（例えば、軽い及び／又は重いタップ、軽い及び／又は重い持続した指押圧イベントなど）、タッチジェスチャ（例えば、スワイプ、マルチタッチジェスチャなど）、エアジェスチャ入力（例えば、三次元ジェスチャ検出センサ、カメラ、又は手の動きを検出するための他のセンサの範囲内の三次元の手の動き）、眼（視線）入力、音声コマンド、充電面７４からのデバイス２４の除去の検出（例えば、充電面７４からのデバイス２４の除去を示す無線送電の中断を検出することによって、デバイス２４内の動きセンサで持ち上げる動きを検出することによって、カメラ又は他のセンサで持ち上げる動きを検出することによって、など）、並びにデバイス２４内のコネクタポートからの充電ケーブル及び／又は他のケーブルの取り外しの検出に関連付けられた入力（例えば、ケーブルコネクタの有無を検出するコネクタセンサを使用して、デバイス２４への有線電力送達の除去を検出することによって、など）が挙げられる。
【００２６】
いくつかのシナリオでは、トリガ入力は、デバイス１２内のセンサによって受信される。例えば、ユーザが表面７４をタップする場合、デバイス１２内の加速度計又は他の動きセンサは、表面７４内の振動又は他の動きを検出することができる。それに応じて、制御回路１６は、制御回路３０と通信して、充電状態情報を収集してディスプレイ７６上に表示するように、制御回路３０に指示することができる。他のシナリオでは、トリガ入力は、デバイス２４内のセンサによって受信される。例えば、ユーザが表面７４をタップする場合、これは、表面７４を揺らし、デバイス２４の検出可能な移動をもたらすことになる。デバイス２４内の加速度計又は他の動きセンサは、次いで、ユーザ入力を検出し、好適なアクションをとることができる。アクション（例えば、充電状態情報を１つ以上のデバイス２４上に表示するように指示すること又は他のアクション）をとる際に、デバイス２４は、直接（例えば、Ｂｌｕｅｔｏｏｔｈ（登録商標）などを使用して）又はデバイス１２を介して、他のデバイス２４と通信することができる。いくつかの実施形態では、センサ統合構成を使用して、複数のセンサ並びに／又は１つ以上のデバイス１２及び／若しくは２４内のセンサからの入力を組み合わせることができる。例えば、システム８は、デバイス１２内の動きセンサによるデバイス１２の動きの検出、及びデバイス（単数又は複数）２４内の動きセンサによるデバイス（単数又は複数）２４の関連付けられた動きの検出に応じて、充電状態情報を表示してもよい。
【００２７】
いくつかの実施形態では、デバイス２４は、一対のイヤホンを受け入れるように構成されたリムーバブルバッテリケースである。ユーザは、使用するためにデバイス２４からイヤホンを取り出すことができる。ユーザがイヤホンを使用するのを終了したとき、ユーザは、デバイス２４内の内部コンパートメント内にイヤホンを格納してもよい。このタイプの実施形態では、デバイス２４は、イヤホン内のバッテリを再充電するバッテリを有する。デバイス２４のバッテリは、図２に示すように、デバイス２４をデバイス１２上に配置することによって無線で充電される。
【００２８】
このタイプの構成におけるデバイス２４の状態を示すために、デバイス２４は、ディスプレイ又は状態インジケータライト（例えば、充電状態インジケータ、発光ダイオード状態インジケータ、状態インジケータ、充電状態インジケータライトなどと呼ばれる場合がある、入出力デバイス５６内の発光デバイス）などの視覚出力デバイスを有する。状態インジケータライトは、１つ以上の発光ダイオード（又は所望であれば、レーザー若しくは他の発光構成要素）から形成される。充電状態インジケータライト内の発光ダイオードの色、強度、明滅パターン、照明される発光ダイオードの数、及び／又は他の特性は、デバイス２４の制御回路によって調整されて、ユーザに視覚的バッテリ充電状態情報を供給することができる。
【００２９】
充電状態インジケータライトは、無線充電が実行されるときはいつでも（例えば、無線電力がデバイス２４によって受信されているときはいつでも）、デバイス２４がデバイス１２上に存在するときはいつでも、及び／又は任意の他の好適な時間に起動することができる。所望であれば、デバイス２４がデバイス１２から外れているとき及び／又は電力を受信していないときはいつでも、充電状態インジケータライトをオフにする（例えば、一時的に停止させる）ことができる。
【００３０】
充電状態インジケータライトはまた、所定の出力時間後にオフにすることもできる。例えば、充電状態インジケータライトが２０秒間照明された場合、充電状態インジケータライトは、自動的にオフになってもよい。その後、充電状態インジケータライトは、再び目覚めさせられ、充電状態情報を視覚的に表示するために使用されてもよい。例えば、充電状態インジケータライトは、デバイス２４がデバイス１２の充電面上に配置されたと判定したことに応じて、並びに／又は、デバイス２４内の加速度計によって検出される及び／若しくはデバイス１２内の加速度計によって検出される、デバイス２４及び／若しくは１２上のタップに応じて、オンにして、充電状態情報をユーザに視覚的に提示するために使用することができる。
【００３１】
一例として、イヤホンバッテリケース（例えば、ケースの筐体）がデバイス１２上に配置されておらず、かつ充電されていないシナリオを考える。このシナリオでは、充電状態インジケータライトは、所定の期間（例えば、２０秒）の後にオフにされてもよい。ユーザがイヤホンバッテリケースの充電状態情報を見ることを望む場合、ユーザは、イヤホンバッテリケースをタップしてもよい。ケース内の加速度計は、タップを検出し、充電状態インジケータを起動する。
【００３２】
所望であれば、イヤホンバッテリケース（例えば、ケースの筐体）は、デバイス１２の充電面上に配置されてもよい。所定の時間（例えば、２０秒）充電状態情報を表示した後、充電状態インジケータは、オフにされてもよい。充電状態情報を見るために、ユーザは、バッテリケース（デバイス２４）及び／又はデバイス１２をタップすることができる。
【００３３】
いくつかの実施形態では、充電状態インジケータライトは、デバイス２４（例えば、デバイス２４の筐体）がデバイス１２の充電面上にあり、かつ／又はデバイス１２から電力を受信しているときにのみ、オンにされる。この構成では、デバイス２４がデバイス１２上にある間のデバイス２４の動き（例えば、デバイス２４上のタップ）は、デバイス２４に充電状態インジケータライトを起動させ、ユーザのために充電状態情報を視覚的に表示させる一方で、デバイス２４がユーザのポケット内で搬送されている、又は他の方法でデバイス１２上にない間のデバイス２４の動き（例えば、デバイス２４のタップ又は他の動き）は、充電状態情報が表示されないように、充電状態インジケータライトを起動させないことになる。
【００３４】
いくつかの実施例では、デバイス２４は、デバイス２４が無線で電力を受信しているときにデバイス１２上にあると判定する。いくつかの実施例では、デバイス２４は、デバイス２４がデバイス１２から無線信号を受信しているときにデバイス２４がデバイス１２上にあると判定する。無線信号は、Ｂｌｕｅｔｏｏｔｈ（登録商標）信号、近距離通信信号、若しくは他の帯域外信号であってもよく、及び／又はコイル（単数又は複数）３６によって送信され、かつコイル（単数又は複数）４８によって受信される無線信号であってもよい。無線信号は、所望であれば、所定のデジタルピング（例えば、コイル（単数又は複数）３６のインピーダンスを測定する、又は他の方法でデバイス２４に対して無線測定を行うために、コイル３６のうちの１つ以上に信号を駆動することによって生成される無線信号インパルス又は他の無線信号）に関連付けられてもよい。無線信号は、コイル（単数又は複数）４８又はデバイス２４内の別個のアンテナ（例えば、送受信機回路４６内のアンテナ）を使用して受信することができる。
【００３５】
任意の好適な制御アーキテクチャをシステム８に使用することができる。例えば、デバイス１２は、マスターデバイスとして機能することができ、デバイス２４は、マスターデバイスからのコマンドに応答するスレーブとして機能することができ、デバイス２４のうちの所与の１つは、マスターデバイスとして機能することができ、デバイス１２及び非マスターデバイス２４は、スレーブデバイスとして機能することができ、デバイス１２及び２４は、ピアツーピアネットワーク内で動作するピアデバイスとして機能することができる、などである。
【００３６】
図３は、表面７４上の検出されたタップ入力などのトリガイベントに応じて、デバイス２４のディスプレイ７６上に表示することができる、充電状態情報などの例示的な情報を示す。図３のデバイス２４のディスプレイ７６上に表示されている例示的な情報は、バッテリ充電状態インジケータアイコン７８を含む。アイコン７８は、バー型インジケータ（又は、円形インジケータ、三角形インジケータなどの他の好適なインジケータ）を使用して、バッテリ５８に関する充電量をユーザに視覚的に示すことができる。例えば、バッテリ５８が半分充電されている場合、アイコン７８のグラフィックバッテリの半分を満たす着色バーが提示されてもよい。バッテリ充電状態はまた、英数字文字８０を使用して表示されてもよい。任意選択の追加情報（例えば、アイコン、テキストなど）もまた、図３の任意選択の追加情報８２によって示すように提示されてもよい。情報８２は、デバイス２４が現在無線電力を受信しているか否かを示すことができ、無線送電動作、バッテリ充電状態、及び／又は他のシステムパラメータに関する他の状態情報（例えば、充電速度、満充電に達するまでのおおよその時間など）を含むことができる。アイコン７８、文字８０、及び／又は情報８２によって消費される面積の量は、ユーザがこの情報を遠くから見ることを可能にするのに十分であってもよい（例えば、この面積の量は、ディスプレイ７６の総面積の少なくとも１０％、少なくとも２０％、又は９９％未満であってもよい）。
【００３７】
システム８を使用することに関連付けられた例示的な動作を、図４に示す。
【００３８】
ブロック９０の動作中に、システム８は、ユーザ入力又は他のトリガ入力を監視して、ユーザへの充電状態情報又は他の情報の提示をトリガしてもよい。入出力デバイス７０内のセンサ及び／若しくは入出力デバイス５６内のセンサなどのセンサ、並びに／又はシステム８内の他の回路（例えば、制御回路１６及び／又は３０）は、トリガイベントを監視する際に使用することができる。トリガイベントの例としては、ユーザタップ、ユーザダブルタップ、スワイプジェスチャ、又は他のユーザ指入力（例えば、デバイス１２若しくはデバイス（単数又は複数）２４のうちの１つ上のタップ又は他の指入力）の検出、音声コマンドなどの音声入力の検出、エアジェスチャ（三次元ジェスチャ）の検出、デバイスの動きの検出（例えば、充電面７４からデバイス２４を持ち上げることの検出）、デバイス１２からデバイス２４への有線送電に使用されるケーブルなどのケーブルのプラグを抜くことの検出、力センサ入力、光学センサ入力、タッチセンサ入力、加速度計入力、若しくは他の動きセンサ入力、及び／又は他のセンサ入力の検出が挙げられる。エアジェスチャは、ユーザがデバイス１２の上で手若しくは他の外部オブジェクトを振るとき、及び／又はユーザがデバイス１２の近くでデバイス２４を振るときに、検出されてもよい。デバイス２４がデバイス１２の近くで振られたときを検出するために、デバイス１２は、光学近接センサを使用することができ、並びに／又はデバイス１２及び／若しくはデバイス２４は、入出力デバイス７０及び／若しくは５６内の他のセンサを使用することができる。
【００３９】
トリガイベントの検出に応じて、処理は、ブロック９２の動作に進むことができ、ここで、充電状態情報及び／又は他の情報（例えば、充電状態情報及び／又は他の情報を含むホーム画面）がユーザに提示されてもよい。ブロック９２の動作中に、システム８内のデバイスは、互いに通信して、充電状態情報及び他の情報を交換し、かつ／又はコマンドを交換することができる。例えば、ブロック９０の動作中にユーザ入力がデバイス１２によって検出された場合、デバイス１２は、ユーザ入力が受信されたことを、ディスプレイ（単数又は複数）を有する１つ以上のデバイス２４に通知して、それにより、充電状態情報又は他の情報を表示するようにデバイス（単数又は複数）２４に指示することができる（例えば、図３の実施例で表示された情報を参照されたい）。デバイス１２がデバイス（単数又は複数）２４に情報を表示させる前に、デバイス（単数又は複数）２４は、ディスプレイ７６上にブランク画面を提供していて（例えば、黒色、オフ、タッチ感知だが表示オフモードで表示している、など）もよい。
【００４０】
デバイス１２によってデバイス２４に提供された又はシステム内の他のデバイス２４から受信された情報に応じて、デバイス２４は、バッテリ５８の充電状態に関する情報、及び無線電力がデバイス１２からデバイス２４によって現在受信されているか否かに関する情報などの充電状態情報を収集することができる。次いで、この情報は、システム８内の各デバイス２４のディスプレイ上に表示されてもよく（例えば、各デバイス２４のブランク画面は、図３に示すタイプのアイコン及び他の情報を含む画面によって置き換えられてもよい）、かつ／又は別の方法でデバイス（単数又は複数）２４内の出力デバイスでユーザに提示されてもよい。複数のデバイス２４が存在する実施形態では、充電状態情報は、複数のデバイス２４から収集され、これらのデバイス２４のうちの１つ以上のディスプレイ上に提示されてもよい。いくつかの実施形態では、デバイス１２は、ディスプレイなどの出力デバイスを有してもよく、デバイス２４のうちの１つ以上を使用してこの情報を表示することに加えて、又はその代わりに、充電状態情報及び／若しくは他の情報を表示してもよい。
【００４１】
一例として、複数のデバイス２４が複数の無線送電コイルを有する無線充電マット又は他のデバイス１２上に存在するシナリオを考える。デバイス１２は、送信コイルを使用して、デバイス２４とそれぞれ（例えば、帯域内通信を介して）通信することができ、かつ／又は帯域外無線通信回路を使用して、デバイス２４と通信することができる。このようにして、デバイス１２及び／若しくはデバイス２４のうちの１つによって検出された、デバイス１２上のタップ、若しくはデバイス２４のうちの１つ上のタップ、又は他のトリガイベント（例えば、デバイス２４のうちの１つをデバイス１２から離して持ち上げること）を使用して、システム８内のデバイス２４のそれぞれ上（及び、所望であれば、デバイス１２上）に充電状態情報などの情報の表示を引き起こすことができる。充電状態はまた、デバイス１２の近傍の手又はデバイス２４によるエアジェスチャの検出（例えば、デバイス１２内の光学近接センサなどの光学センサ及び／若しくは振られたデバイス２４及び／若しくは他のデバイス（単数又は複数）２４を使用したデバイス１２の近傍のデバイス２４の振る動きの検出、並びに／又は入出力デバイス７０及び／若しくは５６内の１つ以上の他のセンサを使用したデバイス２４の振る動きの検出）に応じて、システム８内のデバイス２４のそれぞれ上（及び、所望であれば、デバイス１２上）に表示することもできる。
【００４２】
一実施形態によれば、ディスプレイを有する無線受電デバイスに無線電力を送信するための無線送電デバイスであって、無線電力信号を無線受電デバイスに送信するように構成された無線送電回路と、ユーザ入力を検出するように構成されたセンサと、ユーザ入力を検出したことに応じて、無線受電デバイスと無線通信して、無線受電デバイスに充電状態情報をディスプレイ上に表示させるように構成された制御回路と、を備える、無線送電デバイスが提供される。
【００４３】
別の実施形態によれば、センサは、加速度計を含む。
【００４４】
別の実施形態によれば、無線送電デバイスは、充電面を有する筐体を備え、ユーザ入力は、充電面上のタップを含む。
【００４５】
別の実施形態によれば、ディスプレイは、充電状態情報を表示する前に、ブランク画面を提供しており、制御回路は、ユーザ入力を検出したことに応じて、無線受電デバイスと通信して、無線受電デバイスにブランク画面の代わりに充電状態情報を表示させるように構成されている。
【００４６】
別の実施形態によれば、充電状態情報は、無線受電デバイス内のバッテリのバッテリ充電状態情報を含む。
【００４７】
別の実施形態によれば、充電状態情報は、無線受電デバイス内のバッテリ以外のバッテリのバッテリ充電状態情報を含む。
【００４８】
別の実施形態によれば、充電状態情報は、無線電力が無線送電回路から無線受電デバイスに送信されているか否かに関する情報を含む。
【００４９】
別の実施形態によれば、制御回路は、ユーザ入力を検出したことに応じて、帯域内無線通信を使用して無線受電デバイスと通信するように構成されている。
【００５０】
別の実施形態によれば、制御回路は、ユーザ入力を検出したことに応じて、帯域外無線通信を使用して無線受電デバイスと通信するように構成されている。
【００５１】
別の実施形態によれば、センサは、移動を検出するように構成されており、表示された充電状態情報は、ディスプレイの少なくとも１０％をカバーする。一実施形態によれば、充電面を有する筐体と、充電面上の無線受電デバイスに無線電力信号を送信するように構成された無線送電回路と、トリガイベントを検出し、トリガイベントの検出に応じて、無線受電デバイスと無線通信して、無線受電デバイスに、無線電力信号を使用して無線受電デバイス内のバッテリの充電に関連付けられた充電状態情報を表示させるように構成された制御回路と、を備える、無線送電デバイスが提供される。
【００５２】
別の実施形態によれば、無線送電デバイスは、センサを備え、制御回路は、センサを使用してトリガイベントを検出するように構成されている。
【００５３】
別の実施形態によれば、トリガイベントは、ユーザ音声コマンドを含み、センサは、ユーザ音声コマンドを受信するように構成されたマイクロフォンを含む。
【００５４】
別の実施形態によれば、センサは、加速度計を含む。
【００５５】
別の実施形態によれば、センサは、光学センサ、力センサ、及びタッチセンサからなる群から選択されるセンサを含む。
【００５６】
別の実施形態によれば、充電状態情報は、バッテリ充電状態情報を含む。
【００５７】
一実施形態によれば、無線送電デバイスの充電面上に置かれている間に無線送電デバイスから無線電力を受信するように構成された無線受電デバイスであって、無線電力を受信するように構成された無線受電回路と、充電状態を有するバッテリと、ディスプレイと、無線受電回路、バッテリ、及びディスプレイに動作可能に結合され、かつトリガイベントの検出に応じて、ディスプレイ上に充電状態に関する情報を表示するように構成された、制御回路と、を備え、トリガイベントが、充電面からの無線受電デバイスの除去及びユーザ入力からなる群から選択されるトリガイベントを含む、無線受電デバイスが提供される。
【００５８】
別の実施形態によれば、ユーザ入力は、充電面上の指タップを含み、無線受電デバイスは、充電面上の指タップから生じる動きを検出するように構成されたセンサを備える。
【００５９】
別の実施形態によれば、センサは、加速度計を含み、制御回路は、センサによる充電面上の指タップの検出に応じて、無線電力が無線受電回路によって受信されているか否かに関する情報を表示するように構成されている。
【００６０】
別の実施形態によれば、制御回路は、充電面上に置かれているポータブル電子デバイスのバッテリ充電状態情報を受信するための無線通信回路を含み、制御回路は、センサによる充電面上の指タップの検出に応じて、ディスプレイ上にバッテリの充電状態及びポータブル電子デバイスのバッテリ充電状態情報の両方を表示するように構成されている。
【００６１】
前述は、単なる例示に過ぎず、説明された実施形態に対して多様な変更を行うことができる。前述の実施形態は、個別に又は任意の組み合わせで実装することができる。
【図１】
0006986122.tif 000002
【図２】
0006986122.tif 000003
【図３】
0006986122.tif 000004
【図４】
0006986122.tif 000005